(57)【要約】      （修正有）【課題】コンセントの高さを自由に設定できる収納家具を提供する。【解決手段】課題を解決するために、裏板１と、棚板２とを有し、棚板２の高さを自由に変更して設置可能な収納家具において、コンセント４を高さ方向にスライド可能に取り付けられるコンセントレール５を収納家具に取り付けたコンセントレール付収納家具による。【選択図】図１
0003133808.tif 000002
【実用新案登録請求の範囲】
【請求項１】
裏板と、棚板とを有し、棚板の高さを自由に変更して設置可能な収納家具において、コンセントを高さ方向にスライド可能に取り付けられるコンセントレールを収納家具に取り付けたことを特徴とするコンセントレール付収納家具。
【請求項２】
コンセントレールが、垂直方向で側板又は裏板に埋め込まれて設けられる請求項１記載のコンセントレール付収納家具。
【請求項３】
コンセントレールが、垂直方向で側柱板又は裏柱板に取り付けられて設けられる請求項１記載のコンセントレール付収納家具。
【考案の詳細な説明】
【技術分野】
【０００１】
この考案は、主に室内の設置する収納家具に関する。詳細には裏板（背板）と棚板とを有し、棚板の高さを製造時、或いは設置時において自由に変更して組立可能な収納家具に関する。
【背景技術】
【０００２】
近年炊飯器、電子レンジ等の家電製品の種類も増え、一般家庭で設置される家電製品も増える傾向にある。例えばダイニングルーム等に設置される食器等の収納家具は、近年電子レンジ、炊飯器、冷蔵庫等の多種の家電製品を収納されるため、それに対応してコンセントの設置が必要となる。ただし複数の家電製品を１つの棚に設置する場合は、棚の横方向に配設できるため、その１つの棚周囲に１つのコンセントを設ければ複数の電源コードを１つのコンセントで使用でき特に問題はなかった。そしてコンセントを付した従来の大半の収納家具は、ある棚に１つのコンセントを設置していた。
【０００３】
しかし、家電製品を高さ方向の複数の棚にわって設置しようとすると、全ての棚、或いはそれぞれの棚にコンセントを設けるか、電源コードをコンセントのある棚まで配線する必要があった。その場合、従来は通常棚板又は裏板に孔を開けて電源コードを通していた。
【０００４】
コンセントレールを使用した収納家具の従来技術としては、特開平１１−１２８０１３号公報（従来技術１）に１つの棚に横方向にコンセントをスライド可能に保持するレール部を有する収納家具が開示されている。
【０００５】
同様に特開２０００−２７９２４４号公報（従来技術２）にも、収納部の１つの棚の天井の「奥側に差込口が下方に向けられたスライド自在の電気コンセントを備えた電源レールが設けられた収納キャビネット」が開示されている。
【特許文献１】特開平１１−１２８０１３号公報
【特許文献２】特開２０００−２７９２４４号公報
【考案の開示】
【考案が解決しようとする課題】
【０００６】
しかし、裏板（背板）を有し棚板の高さを自由に設定できる収納家具では、多種の家電製品を高さ方向の複数の棚に設置しようとすると、従来のように棚板か裏板（背板）に電源コードを通す孔を開ける必要があるため、棚板を電源コードを通す必要が無い場所への位置変更する場合、外観上に問題が残った。また、棚板に孔を開ける為にその製造過程に置いて加工を必要としていた。
【０００７】
また、棚板の高さの設定が自由であるため、コンセントの場所を一カ所又は数カ所に固定すると逆に棚板の高さが変わるとコンセントの使用が難しくなる課題があった。
【０００８】
更に、従来技術１及び２のように、横方向にコンセントをスライド可能に設ける構成では、高さ方向に複数の家電製品を設置する場合、特に便利となることはない。
【課題を解決するための手段】
【０００９】
上記課題を解決するために、裏板と、棚板とを有し、棚板の高さを自由に変更して設置可能な収納家具において、コンセントを高さ方向にスライド可能に取り付けられるコンセントレールを収納家具に取り付けたことを特徴とするコンセントレール付収納家具を提案する。
【００１０】
また、コンセントレールが、垂直方向で側板又は裏板に埋め込まれて設けられる０００９欄に記載のコンセントレール付収納家具を提案する。更に、コンセントレールが、垂直方向で側柱板又は裏柱板に取り付けられて設けられる０００９欄に記載のコンセントレール付収納家具を提案する。
【考案の効果】
【００１１】
この考案によれば、電子レンジ、炊飯器、冷蔵庫、パソコン等の各種の電化製品を１つの収納家具に設置する場合、従来のように棚板や裏板に孔を開けて電源コードを通す必要がなくなる。また、高さ方向の複数の棚にそれぞれ電化製品を設置した場合でも、コンセントレールが高さ方向に設置されているためコンセントの高さを自由に設定でき、棚の高さなども自由に選択して使用者の望む棚に設置できる。
【００１２】
この考案の収納家具であると、設置時に棚板や裏板に孔を開ける必要がなくなるので、電化製品の設置場所を変えたい場合など、残った孔が外観上の欠点となることがなく変更することができる。
【考案を実施するための最良の形態】
【００１３】
この考案の１つの実施形態を示すコンセントレール付収納家具について、その斜視図である図１、同じくそれぞれ実施形態を示す水平断面図である図２乃至図５、及び断面側面図である図６に基づいて説明する。
【００１４】
この考案のコンセントレール付収納家具は、裏板１と、棚板２と、側板３を有し、棚板２の高さを自由に変更して組立可能、製造可能、設置可能な構造であるとともに、コンセント４を高さ方向にスライド可能に取り付けられるコンセントレール５を側板３、又は側柱板３ａ又は裏板１に取り付けている。
【００１５】
図２は、この考案の第１実施形態のコンセントレール付収納家具の水平断面図を示す。図２に示す実施形態は、コンセントレール５が、その長手方向が収納家具の設置時に略垂直方向となるように側板３の中に埋め込まれて固定されているコンセントレール付収納家具である。コンセントレール５は、コンセント４を長さ方向、すなわち高さ方向にスライドして移動可能であり、コンセント４は、コンセントレール５のどの高さ位置においてもボルト、ネジ等によって固定して設置することができる。このコンセント４の移動、固定は、収納家具を所定の場所に設置するときに行なうことができる。
【００１６】
図３は、この考案の第２実施形態のコンセントレール付収納家具の水平断面図を示す。図３に示す実施形態は、コンセントレール５が、その長手方向が収納家具の設置時に略垂直方向となるように側柱板３ａの側面方向の内側に接して取り付け固定されているコンセントレール付収納家具である。コンセントレール５は、コンセント４を長さ方向、すなわち高さ方向にスライドして移動可能であり、コンセント４は、コンセントレール５のどの高さ位置においてもボルト、ネジ等によって固定して設置することができる。このコンセント４の移動、固定は、収納家具を所定の場所に設置するときに行なうことができる。
【００１７】
図４は、この考案の第３実施形態のコンセントレール付収納家具の水平断面図を示す。図４に示す実施形態は、コンセントレール５が、その長手方向が収納家具の設置時に略垂直方向となるように側柱板３ａの側面方向の内側に接して取り付け固定され、更にその側方外側に側板化粧板３ｂを取り付けて固定しているコンセントレール付収納家具である。
【００１８】
図５は、この考案の第４実施形態のコンセントレール付収納家具の水平断面図を示す。図５に示す実施形態は、コンセントレール５が、その長手方向が収納家具の設置時に略垂直方向となるように裏板（背板）１の中に埋め込まれて固定されているコンセントレール付収納家具である。コンセントレール５は、コンセント４を長さ方向、すなわち高さ方向にスライドして移動可能であり、コンセント４は、コンセントレール５のどの高さ位置においてもボルト、ネジ等によって固定して設置することができる。このコンセント４の移動、固定は、収納家具を所定の場所に設置するときに行なうことができる。
【産業上の利用可能性】
【００１９】
この考案は、１つの収納家具において、複数の家電製品を高さ方向の異なる棚板に設置するような場合に、利便性がよく、利用される可能性は高い。
【図面の簡単な説明】
【００２０】
【図１】この考案の１つの実施形態を示すコンセントレール付収納家具の斜視図
【図２】同じく第１実施形態を示すコンセントレール付収納家具の水平断面図
【図３】同じく第２実施形態を示すコンセントレール付収納家具の水平断面図
【図４】同じく第３実施形態を示すコンセントレール付収納家具の水平断面図
【図５】同じく第４実施形態を示すコンセントレール付収納家具の水平断面図
【図６】同じく第１実施形態を示すコンセントレール付収納家具の断面側面図
【符号の説明】
【００２１】
１  裏板（背板）
２  棚板
３  側板
３ａ  側柱板
３ｂ  側板化粧板
４  コンセント
５  コンセントレール
【図１】
0003133808.tif 000003
【図２】
0003133808.tif 000004
【図３】
0003133808.tif 000005
【図４】
0003133808.tif 000006
【図５】
0003133808.tif 000007
【図６】
0003133808.tif 000008